(57)【要約】      （修正有）【課題】不必要な収納物までもが目に触れることがなく、更には小さな収納物が車内等の振動場所において、こぼれ落ちることのない口腔衛生小物用収納具を提供する。【解決手段】歯ブラシ、歯磨用チューブ、ミント、口中清涼剤、爪楊枝等の第１の口腔衛生用小物を区分けして収納する下側ボックスと、該下側ボックスの前方に着脱自在に装備されると共に、前記第１の口腔衛生用小物と異なる第２の口腔衛生用小物を収納する小型ケースと、前記下側ボックスの後方端に開閉自在に軸支持されると共に、前記下側ボックス及び前記小型ケースを覆う上側カバーとで構成したことを特徴とする。【選択図】図１
0003159357.tif 000002
【実用新案登録請求の範囲】
【請求項１】
歯ブラシ、歯磨用チューブ、ミント、口中清涼剤、爪楊枝等の第１の口腔衛生用小物を区分けして収納する下側ボックスと、該下側ボックスの前方に着脱自在に装備されると共に、前記第１の口腔衛生用小物と異なる第２の口腔衛生用小物を収納する小型ケースと、前記下側ボックスの後方端に開閉自在に軸支持されると共に、前記下側ボックス及び前記小型ケースを覆う上側カバーとで成したことを特徴とした口腔衛生小物用収納具。
【請求項２】
前記下側ボックス及び前記小型ケースは、該下側ボックスに小型ケースを装備した状態において、外郭を一連の円形状筐体に形成し、且つこの円形状筐体を覆う様、上側カバーを円形状に形成したことを特徴とする請求項１記載の口腔衛生小物用収納具。
【請求項３】
前記下側ボックス及び前記小型ケースは、相互の対面側壁を夫々直線状とし、且つ小型ケースの前方端縁を円弧状に形成したことを特徴とする請求項２記載の口腔衛生小物用収納具。
【請求項４】
前記小型ケースは、前方端縁に第２の口腔衛生用小物の取出口を設け、該取出口の開閉用小カバーを水平方向にスライド自在に備えたことを特徴とする請求項１〜３の何れか１記載の口腔衛生小物用収納具。
【請求項５】
前記下側ボックスは、小型ケースとの対面側壁にアリ溝を形成し、且つ小型ケースにアリを形成して、該小型ケースのスライドによりアリ溝と係合したことを特徴とする請求項１〜３の何れか１記載の口腔衛生小物用収納具。
【請求項６】
前記下側ボックスは、対面側壁からカギ形下壁を突出させて小型ケースを上方向から対面側壁とカギ形下壁のカギ部との間に圧入したことを特徴とする請求項１〜３の何れか１記載の口腔衛生小物用収納具。
【請求項７】
前記小型ケースは、直方体状に形成したことを特徴とする請求項１記載の口腔衛生小物用収納具。
【請求項８】
前記小型ケースは、上面に取出口を設け、且つ開閉用小カバーを水平方向にスライド自在に備えたことを特徴とする請求項１又は７記載の口腔衛生小物用収納具。
【考案の詳細な説明】
【技術分野】
【０００１】
本考案は外出時に携帯して歯磨き、口腔内清掃、口臭対応等を手軽に行う口腔衛生小物用収納具に関するものである。
【背景技術】
【０００２】
一般的にミントや爪楊枝は他の口腔衛生商品とは別に販売されている。
又、歯ブラシと歯磨とをセットにして携帯する用具も存在し、使用者が自らの選択にてこれらを袋、ケース等に詰め込み、その必要に応じ化粧品も併せて携帯することが実情であり、下記技術文献１、及び同２が存在する。
先ず、文献技術１は、化粧品、油とり紙を収納するコンパクトケースであって、下側ボックス全体を覆う上側カバーを開閉自在に軸支持している。
即ち、一個のボックスと一個のカバーとで構成されており、カバーを開くとボックス内の総ての収納物が露呈し、不必要な収納物も目に触れることとなるばかりか、特に収納物が小さい物であると、車内等の振動場所においては、こぼれ落ちることとなる。
【０００３】
更に技術文献２についても、同様にそれぞれ一個のボックスとカバーにて構成された爪切り単品用収納ケースであり、特に用途が異なる多種多様の口腔衛生用小物を区分けして収納するものには不向きである。
【先行技術文献】
【特許文献】
【０００４】
【特許文献１】特開２００１−９５６２０号・・・・・技術文献１
【特許文献２】実用新案登録第３０６３１９６号・・・技術文献２
【考案の概要】
【考案が解決しようとする課題】
【０００５】
多種多様の口腔衛生用小物を雑然と一個のボックスとカバーとで構成された口腔衛生小物用収納具に収納することによってカバーを開けた際に、不必要な収納物までもが目に触れること、更には小さな収納物が車内等の振動場所においては、こぼれ落ちることの課題を解決すると同時に、口臭の除去、口腔内の食べカスの有無の確認、口腔内に食べカスが残っている場合、それらの除去、歯の洗浄等を外出先にて容易に対応できること。
【課題を解決するための手段】
【０００６】
本考案は、歯ブラシ、歯磨用チューブ、ミント、口中清涼剤、爪楊枝等の第１の口腔衛生用小物を区分けして収納する下側ボックスと、該下側ボックスの前方に着脱自在に装備されると共に、前記第１の口腔衛生用小物と異なる第２の口腔衛生用小物を収納する小型ケースと、前記下側ボックスの後方端に開閉自在に軸支持されると共に、前記下側ボックス及び前記小型ケースを覆う上側カバーとで成したことを特徴するものである。
【０００７】
又、本考案は、下側ボックスに小型ケースを装備した状態において、外郭を一連の円形状筐体に形成し、且つこの円形状筐体を覆う様、上側カバーを円形状に形成したことを特徴とするものである。
又、本考案は、下側ボックス及び前記小型ケースの相互の対面側壁を夫々直線状とし、且つ小型ケースの前方端縁を円弧状に形成したことを特徴とするものである。
【０００８】
更に本考案は小型ケースの前方端縁に第２の口腔衛生用小物の取出口を設け、該取出口の開閉用小カバーを水平方向にスライド自在に備えたことを特徴とするものである。
更に本考案は、下側ボックス及び小型ケースの夫々の対面側壁にアリ溝及びアリを形成して、該小型ケースのスライドによりアリ溝と係合したことを特徴とするものである。
【０００９】
更に本考案は、下側ボックスの対面側壁からカギ形下壁を突出させて小型ケースを上方向から対面側壁とカギ形下壁のカギ部との間に圧入したことを特徴とするものである。
又、本考案は小型ケースを直方体状に形成したことを特徴とするものである。
又、本考案は、小型ケースの上面に取出口を設け、且つ開閉用小カバーを水平方向にスライド自在に備えたことを特徴とするものである。
【考案の効果】
【００１０】
（１）請求項１により、歯ブラシ、歯磨用チューブ、ミント、口中清涼剤、爪楊枝等の第１の口腔衛生用小物を下側ボックスに収納し、使用頻度の異なる第２の口腔衛生用小物を小型ケースにと夫々区分けして収納したから、カバーを開蓋した際、不必要な収納物までもが総て目に触れることがない。
特に、小さな収納物が車内等の振動場所においてこぼれ落ちることもなく、且つ通常時は下側ボックスと小型ケースとは一体となっていることからカバーを閉蓋、即ち覆っていれば一つの纏まった口腔衛生小物用収納具として携帯でき、口臭の除去、口腔内の食べカスの有無の確認、口腔内に食べカスが残っている場合にそれらの除去、歯の洗浄等を外出先にて適切に対応できる。
【００１１】
（２）請求項２及び３により、口腔衛生小物用収納具全体の外郭が円形状に成されており、角張らず携帯に適応する。
【００１２】
（３）請求項４により、カバーを閉蓋した状態にて小カバーを水平方向にスライドさせれば、小型ケースの取出口からミント（口中清涼剤）だけを取り出すことができ、下側ボックスに収納したやや大きい歯ブラシ等の他の口腔衛生用小物が露呈することがない。
【００１３】
（４）請求項５により、小型ケースを下側ボックスの前方に的確に装備できると共に、而も小型ケースのスライドがスムーズに行える。
【図面の簡単な説明】
【００１４】
【図１】口腔衛生小物用収納具の分解斜視図
【図２】同上のＡ−Ａ拡大断面図
【図３】同上のＢ−Ｂ拡大断面図
【図４】同上の拡大部分断面図
【図５】同上の拡大部分断面図
【図６】同上異なる実施例を示す拡大部分断面図
【図７】同上の拡大部分断面図
【図８】口腔衛生小物用収納具の異なる実施例を示す分解斜視図
【図９】同上の拡大部分斜視図
【考案を実施するための形態】
【００１５】
以下本考案を実施例として掲げた図面に基いて説明すると、図1は口腔衛生小物用収納具の分解斜視図であって、下側ボックス１に小型ケース２を装備した状態にて外郭Ｘａを一連の円形状筐体Ｘに形成しており、下側ボックス１の後方端には上側カバー３を開閉自在となる様、軸４にて支持している。
而して、下側ボックス１には歯ブラシＨａ、歯磨用チューブＨｂ、爪楊枝Ｈｃ等の第１の口腔衛生用小物Ｈを収納している。
【００１６】
具体的には、爪楊枝Ｈｃを隔離して小室５に収納し、この小室５の側壁６と小型ケース２との対面側壁７にて成された空室８に前記歯ブラシＨａ、歯磨用チューブＨｂを区分けして収納しており、小室５には開閉自在に蓋９が備えられている。
又、上側カバー３の内側にはポケット１０が設けられ、手鏡１１が収納されている。
【００１７】
更に、小型ケース２には前記第１の口腔衛生用小物Ｈと異なる第２の口腔衛生用小物Ｇが収納される。
而して、この第２の口腔衛生用小物Ｇとしては、下側ボックス１に収納した歯ブラシＨａ、歯磨用チューブＨｂ、爪楊枝Ｈｃ等の第１の口腔衛生用小物Ｈに比し小粒で、而も使用頻度の高い、例えばミント（口中清涼剤）Ｇａを収納しており、詰め替え容器として展開することも出来る。
【００１８】
この小型ケース２は、図１に示す如く下側ボックス１の対面側壁７との対面側壁２ａを相互に夫々直線状とし、且つ小型ケース２の前方端縁を円形状筐体Ｘの外郭Ｘａの延長線として円弧状に形成している。
具体的には、小型ケース２の前方端縁に第２の口腔衛生用小物Ｇの取出口１２を設け、この取出口１２の横溝１３には開閉用小カバー１４を水平方向にスライド自在に備えている。
【００１９】
又、小型ケース２と下側ボックス１との対面側壁７、１０には夫々相互に係合するアリ溝１５、アリ１６を形成して、図１の矢印方向ａスムーズにスライドし、的確に装備され、且つ取外しも容易となる。
更に開閉用小カバー１４には指先の引掛摘子１７を有する。
図５は、小型ケース２を直方体状に形成し、且つ下側ボックス１の対面側壁７から下壁１８を突出させて小型ケース２を矢印ｂに示す如く、上方向から押し下げて対面側壁７と下壁１８のカギ部１９との間に圧入している。
勿論、小型ケース２と下側ボックス１との対面側壁７、２ａのアリ溝１５、アリ１６のみにて保持し、下壁１８の存在は任意である。
【００２０】
図６、７は、開閉用小カバー１４の異なる実施例であって、合成樹脂製の薄板とし、その下端１４ａを小型ケース２に差込み、矢印ｃ方向に押圧することによって、二点鎖線にて示す如く、反らして開蓋する。
【００２１】
図８、９は、小型ケース２を直方体状に形成した更なる琴となる実施例であって、取出口１２を上面に設け、開閉用小カバー１４を水平方向にスライド自在に備えており、小型ケース２の直方体状形状に対応して、上側カバー３の前方端縁を直線状としている。
尚、下側ボックス１と上側カバー３との閉蓋がより確実となる様、係合凹凸部１９、０を備えている。
【００２２】
次に本考案口腔衛生小物用収納具の使用順序を説明すると、先ず図１に示如く、上側カバー３を開蓋すれば、下側ボックス１に収納されている歯ブラシＨａ、歯磨用チューブＨｂ、爪楊枝Ｈｃ等の第１の口腔衛生用小物Ｈが露呈し、所望の口腔衛生用小物Ｈを選択して取り出すこととなる。
勿論、この第１の口腔衛生用小物Ｈと異なる第２の口腔衛生用小物Ｇは小型ケース２に収納されており、小カバー１４が閉蓋されているので、収納物が車内等の振動場所においてこぼれ落ちることはなく、一つの纏まった口腔衛生小物用収納具として携帯できる。
【００２３】
小型ケース２に収納されている第２の口腔衛生用小物Ｇを取り出す場合は、上側カバー３を閉蓋した状態にて、小型ケース２の小カバー１４を開いて取り出すこととなる。
又、場合によっては、上側カバー３を開蓋後、素早く小型ケース２のみを取外すと共に、上側カバー３を閉じ、所望の第２の口腔衛生用小物Ｇを取り出すこととなる。
【符号の説明】
【００２４】
Ｘ    円形状筐体
Ｈ    第１の口腔衛生用小物
Ｇ    第２の口腔衛生用小物
１    下側ボックス
２    小型ケース
３    上側カバー
７    対面側壁
２ａ  対面側壁
１２  取出口
１４  開閉用小カバー
１５  アリ溝
１６  アリ
１８  下壁
１９  カギ部
【図１】
0003159357.tif 000003
【図２】
0003159357.tif 000004
【図３】
0003159357.tif 000005
【図４】
0003159357.tif 000006
【図５】
0003159357.tif 000007
【図６】
0003159357.tif 000008
【図７】
0003159357.tif 000009
【図８】
0003159357.tif 000010
【図９】
0003159357.tif 000011